(57)【要約】【課題】通路面の上に設置することで地面や床面を掘り下げる工事を不要とし、さらに、筐体そのものにも止水効果を持たせることで、稼働する止水部の高さを低く抑えながら、優れた止水高さを確保する。【解決手段】人や車両が通行する通路面の上に設置され、その内部に水を貯留できる筐体と、前記筐体の内部に水を導入するとともに前記筐体の内部に貯留された水を排水する開口部と、前記筐体の内部に収容され、前記筐体の内部に貯留された水から浮力を得て上昇し前記筐体の上面から突出する止水部と、を備える。【選択図】図１
2016196729.tif 000002
【特許請求の範囲】
【請求項１】
人や車両が通行する通路面の上に設置され、その内部に水を貯留できる筐体と、
前記筐体の内部に水を導入するとともに前記筐体の内部に貯留された水を排水する開口部と、
前記筐体の内部に収容され、前記筐体の内部に貯留された水から浮力を得て上昇し前記筐体の上面から突出する止水部と、
を備えることを特徴とする止水ユニット。
【請求項２】
前記開口部が前記通路面から所定の高さをもって設けられ、
前記筐体の内部に貯留された水を排水する、前記開口部より開口面積が小さい排水部を備えることを特徴とする請求項１に記載の止水ユニット。
【請求項３】
前記筐体が箱形又は階段状に構成されていることを特徴とする請求項１又は２に記載の止水ユニット。
【請求項４】
前記筐体の少なくとも一方がスロープ状に構成されていることを特徴とする請求項１又は２に記載の止水ユニット。
【請求項５】
前記止水部の下部が拡幅されていることを特徴とする請求項１ないし４のいずれか１項に記載の止水ユニット。
【発明の詳細な説明】
【技術分野】
【０００１】
本発明は、集中豪雨による洪水等の際に、建物や地下施設等に水が流入しないよう止水する、止水ユニットに関する。
【背景技術】
【０００２】
従来、集中豪雨による洪水等の際に、建物や地下施設等に水が流入しないようにする目的で、例えば特開２０００−３４５５３７号公報に、通路の床面に埋設したトラフ状の集水ピットの内部に嵩比重を１以下とした止水板を挿入するとともに集水ピットの近傍に同じ床面に開口する１次ピットを設け、これら集水ピットと１次ピットとを連通孔で接続して構成する浮力式床面止水装置が開示されている。
【先行技術文献】
【特許文献】
【０００３】
【特許文献１】特開２０００−３４５５３７号公報
【発明の概要】
【発明が解決しようとする課題】
【０００４】
しかし、特許文献１に開示されている技術では、止水装置（止水ユニット）は地面又は床面より下に埋設されているため、止水装置を設置するために、地面や床面を掘り下げる工事をする必要があった。また、止水板が地面又は床面より上昇する高さは、集水ピットの深さ寸法より低くなり、有効な止水高さを確保するためには、より大型の止水装置を設置する必要があった。
【０００５】
本発明は、上記の点に鑑みなされたもので、通路面の上に設置することで地面や床面を掘り下げる工事を不要とし、さらに、筐体そのものにも止水効果を持たせることで、止水部の高さ寸法を低く抑えながら、優れた止水高さを確保できる止水ユニットを提供することを目的とする。
【課題を解決するための手段】
【０００６】
本発明の止水ユニットは、
人や車両が通行する通路面の上に設置され、その内部に水を貯留できる筐体と、
前記筐体の内部に水を導入するとともに前記筐体の内部に貯留された水を排水する開口部と、
前記筐体の内部に収容され、前記筐体の内部に貯留された水から浮力を得て上昇し前記筐体の上面から突出する止水部と、
を備えることを特徴とする。
【０００７】
本発明の止水ユニットによれば、筐体が通路面の上に設置されるため、地面や床面等の通路面を掘削する必要がなくなり、工期の短縮や工事費用の低減を図ることができる。また、筐体が通路面に載置されるため、筐体そのものでも止水効果を得ることができ、優れた止水効果を有しながら止水ユニットの高さを抑制することができる。
【０００８】
本発明の止水ユニットの好ましい例は、
前記開口部が前記通路面から所定の高さをもって設けられ、
前記筐体の内部に貯留された水を排水する、前記開口部より開口面積が小さい排水部を備えることを特徴とする。
【０００９】
本発明の止水ユニットの好ましい例によれば、開口部が通路面から所定の高さをもって設けられるとともに、排水部を別に備える。このため、筐体の内部に流入した水が排水部から排水され、排水による周囲の汚れ等を防止できるとともに、美観に優れる。なお、排水部の開口面積は開口部より小さく構成されているため、開口部から水が流入している間は、筐体の内部に水が貯留される。
【００１０】
本発明の止水ユニットの好ましい例は、
前記筐体が箱形又は階段状に構成されていることを特徴とする。
【００１１】
本発明の止水ユニットの好ましい例によれば、筐体が箱形又は階段状に構成されているため、地下鉄や地下街への出入口等の階段に続けて設置することができる。また、そのように設置した場合、止水ユニットによる段差が出入口等の階段と連続するため、止水ユニットを設けたときの違和感を少なくすることができる。
【００１２】
本発明の止水ユニットの好ましい例は、
前記筐体の少なくとも一方がスロープ状に構成されていることを特徴とする。
【００１３】
本発明の止水ユニットの好ましい例によれば、筐体の少なくとも一方がスロープ状に構成されているため、自転車や車椅子、又は自動車が通過する通路にも設置することができる。また、建物等の入口において、周囲より高く段差がある場合においても、止水ユニットで当該段差を解消することができる。
【００１４】
本発明の止水ユニットの好ましい例は、
前記止水部の下部が拡幅されていることを特徴とする。
【００１５】
本発明の止水ユニットの好ましい例によれば、止水部の下部が拡幅されているため、止水部がより強い浮力を得ることができ、止水部全体の高さ寸法に比べて、筐体の上面から突出する寸法を高くすることができる。
【発明の効果】
【００１６】
以上説明したように、本発明の止水ユニットによれば、通路面の上に設置することで地面や床面を掘り下げる工事を不要とし、さらに、筐体そのものにも止水効果を持たせることで、止水部の高さ寸法を低く抑えながら、優れた止水高さを確保できる。
【図面の簡単な説明】
【００１７】
【図１】本発明の一実施形態に係る止水ユニットを設置した地下施設の出入口を説明する図である。
【図２】本発明の一実施形態に係る止水ユニットの縦断面図である。
【図３】図２の止水ユニットにおいて止水部が上昇した状態を説明する図である。
【図４】本発明の他の実施形態に係る止水ユニットの縦断面図である。
【図５】本発明のさらに他の実施形態に係る止水ユニットの縦断面図である。
【図６】本発明のさらに他の実施形態に係る止水ユニットの縦断面図である。
【発明を実施するための形態】
【００１８】
以下、本発明の止水ユニットの実施の形態について、添付図面を参照して詳細に説明する。図１は本発明の一実施形態に係る止水ユニット１を設置した地下施設の出入口を説明する図、図２は本発明の一実施形態に係る止水ユニット１の縦断面図、図３は図２の止水ユニット１において止水部３０が上昇した状態を説明する図である。
【００１９】
図１、図２に示すように、本実施形態の止水ユニット１は、地下鉄や地下街等の地下施設、又は建物の出入口５０等に設置されるもので、筐体１１と、開口部２０と、排水部２１と、止水部３０と、案内部４０とを備える。なお、図２において、案内部４０は破線で示してある。
【００２０】
筐体１１は、人や車両が通行する通路面ＧＬの上にアンカーボルトやステー等で固定されることで設置され、本実施形態の止水ユニット１では階段状をなし、出入口５０の階段５１の段差に続けて設置されている。また、筐体１１は、その内部に水を貯留できる構成となっている。なお、本実施形態の止水ユニット１では、筐体１１の内部そのものに水を貯留するが、筐体１１の内部を仕切り、別に貯水槽等を設ける構成としてもよい。
【００２１】
開口部２０は、集中豪雨等による洪水で水が通路面ＧＬに溢れたときに、筐体１１の内部に水を導入するもので、階段状になった筐体１１の１段目と２段目との間の垂直面のうち、屋外側に複数設けられる。
【００２２】
排水部２１は、筐体１１の内部に導入された水を排水するもので、筐体１１の底面に設けられ、図示しない下水管等に接続される。なお、この排水部２１の開口面積は、複数の開口部２０を合わせた開口面積より小さく構成されており、時間当たりの排水量は、開口部２０から流入してくる水の量より少ない。このため、開口部２０から水が流入している間は、水が筐体１１の内部に貯留され、周囲の水位が低下して開口部２０から水が流入しなくなると、筐体１１の内部の水はなくなる。
【００２３】
止水部３０は、止水板３１と、天板３３と、ローラ３４とを備える。止水板３１は、垂直方向にその広い面を向けた板状の部材であり、その内部が中空とされることで、水から浮力を得ることができる。また、止水板３１の下部は、ローラ３４が設けられる部分を除き、拡幅されて断面略逆Ｔ字状をなしている。この拡幅された部分３２も中空構造とされ、当該部分においても水に対する浮力を得ることができる。天板３３は、止水板３１の上面に設けられるもので、止水板３１が下降した際、筐体１１の最上段の上面１５と同じ高さとなるよう構成される。ローラ３４は、止水板３１の長手方向の両端部に複数設けられるもので、筐体１１の内部に水が貯留されたとき、又は貯留後に排水されたとき、止水板３１が滑らかに上下するよう、案内部４０に挿着されている。なお、止水板３１の下部に設けられた拡幅された部分３２は必須の構成ではなく、止水板３１はその上下方向において、同じ横断面とすることもできる。
【００２４】
案内部４０は、筐体１１の長手方向の両端部の内部から上方に向かって、止水部３０の可動範囲において設けられるもので、出入口５０の側壁５２に固定されるとともに、横断面略Ｃ字状をなしている。そして、その内側に上記のローラ３４が挿着され滑動することで、止水部３０が案内部４０に沿って上下可能となる。
【００２５】
次に、以上説明した各構成要素の機能を踏まえ、図２及び図３を参照しながら、本実施形態の止水ユニット１の動作を説明する。なお、図３において、案内部４０は図２同様に破線で示してある。
【００２６】
図２に示すように、平常時は通路面ＧＬには水がなく、筐体１１の内部にも水は貯留されず、止水部３０はその自重によって下降している。そして、天板３３の縁が筐体１１の上面１５と係合し、天板３３と筐体１１の上面１５とは同じ高さとなっている。
【００２７】
次に、図３に示すように、集中豪雨等による洪水によって、通路面ＧＬに水Ｗが溢れ、その水面が通路面より所定の高さに設けられた開口部２０に達すると、開口部２０より筐体１１の内部に水Ｗが流入する（図中矢印ａ１）。このとき、排水部２１からも排水されるが（図中矢印ａ２）、上述のとおり排水部２１から排水される量より開口部２０から流入する水Ｗの量が多く、筐体１１の内部に水Ｗが貯留される。
【００２８】
すると、止水板３１はその内部が中空となっているため、筐体１１の内部に貯留された水Ｗから浮力を得ることができ、案内部４０に沿って上昇し、筐体１１の上面１５から突出する。そして、出入口５０の周囲の側壁５２と止水部３０とで出入口５０を塞ぎ、地下施設等への水Ｗの浸入を防止する。また、止水板３１は、その下部が拡幅されているため、より強い浮力を得ることができ、その殆どを筐体１１の上面１５より突出させることができる。また、通路面ＧＬに溢れた水Ｗが開口部２０の高さに達しないときは、筐体１１そのもので水Ｗをせき止めることができる。
【００２９】
次に、通路面ＧＬの水が引くと、開口部２０から水が流入しなくなり、筐体１１の内部に貯留された水は排水部２１から排水される。そして、止水部３０も筐体１１の内部の水位の低下にあわせて下降し、図２に示す状態となる。
【００３０】
次に、図４〜図６を参照して、他の実施形態に係る止水ユニットを説明する。図４は筐体が箱形に構成された止水ユニット２を示す図、図５は筐体の一方がスロープ状に構成された止水ユニット３を示す図、図６は筐体の両側がスロープ状に構成された止水ユニット４を示す図である。なお、上述の実施形態と機能が同じ構成要素については、同じ符号を付して説明を省略する。
【００３１】
図４に示す止水ユニット２は、筐体１２が箱形をなしている。このため、高さ寸法が大きな止水ユニットを設置できない場所等に好適である。また、開口部２０が通路面ＧＬと略同じ高さに設けられており、排水部を備えない。このため、開口部２０を通じて水の流入（図中矢印ａ３）と排水（図中矢印ａ４）が行なわれる。
【００３２】
図５に示す止水ユニット３は、筐体１３の一方がスロープ状となっている。このため、建物等の入口の段差を解消することができ、通路面ＧＬと床面ＦＬとを滑らかに接続することができる。また、図６に示す止水ユニット４は、筐体１４の両側がスロープ状となっており、車椅子、自転車又は自動車等が通過する場所において好適である。なお、図５及び図６に示す止水ユニットにおいても、開口部２０が通路面ＧＬと略同じ高さに設けられ、排水部を備えず、開口部２０を通じて水の流入と排水が行なわれる。
【００３３】
以上説明したように、上述の実施形態に係る止水ユニットによれば、通路面の上に筐体を設置するため、設置工事において通路面を掘削する必要がなくなり、工期の短縮と工事費の低減を図ることができる。
【００３４】
また、筐体自身でも水をせき止めることができるため、氾濫時に上昇する止水部とあわせて、せき止める水位を高くすることができる。
【００３５】
また、筐体の内部に水を貯留するため、止水板の下部を容易に拡幅することができ、止水板の浮力をより強くすることができ、より高い氾濫水位にも対応することができる。
【００３６】
また、筐体の少なくとも一方をスロープ状とすることで、様々な場所に設置することができる。
【００３７】
なお、上述の止水ユニットは、本発明の例示であり、発明の趣旨を逸脱しない範囲においてその構成を適宜変更できる。
【符号の説明】
【００３８】
１，２，３，４・・止水ユニット、
１１，１２，１３，１４・・筐体、１５・・上面、
２０・・開口部、２１・・排水部、
３０・・止水部、３１・・止水板、３２・・拡幅された部分、３３・・天板、３４・・ローラ、
４０・・案内部、
５０・・出入口、５１・・階段、５２・・側壁、
ＧＬ・・通路面、ＦＬ・・床面、Ｗ・・水
【図１】
2016196729.tif 000003
【図２】
2016196729.tif 000004
【図３】
2016196729.tif 000005
【図４】
2016196729.tif 000006
【図５】
2016196729.tif 000007
【図６】
2016196729.tif 000008